(57)【要約】【課題】重心を自走式車体の後方へ配置することを防止すると共に、水田の隅側であっても吸水管を配設することができる暗渠布設機を提供する【解決手段】エンジン駆動の無限軌道１１により地表を走行する自走式車体１に、地中に刺した作溝体２１を前進させて凹溝を掘削しながら、その凹溝の溝底に吸水管２２を配設するドレンレイヤー部２と、運転席１３を備える。自走式車体１の前部に前記エンジンを、後部に前記運転席１３を設けると共に、エンジンと運転席１３の中間にドレンレイヤー部２を設ける。暗渠布設機の重心が自走式車体１の中央付近となり、自走式車体１の前部が浮き上がる虞をなくして走行安定性を向上できる。自走式車体１を水田の隅Ｅまで近づけることができるので、吸水管２２を水田の隅々まで配置することができる。【選択図】      図３
2004218270.tif 000002
【特許請求の範囲】
【請求項１】
原動機駆動の無限軌道又は車輪により地表を走行する自走式車体に、地中に刺した作溝体を前進させて凹溝を掘削しながら、その凹溝の溝底に吸水管を配設するドレンレイヤー部と、運転席を備えた暗渠布設機において、前記自走式車体の前部に前記原動機を、前記自走式車体の後部に前記運転席を設けると共に、前記原動機と前記運転席の中間に前記ドレンレイヤー部を設けたことを特徴とする暗渠布設機。
【発明の詳細な説明】
【０００１】
【発明の属する技術分野】
本発明は、水田等の排水能力を高めるために暗渠を布設するための暗渠布設機に関する
【０００２】
【発明が解決しようとする課題】
従来、この種の暗渠布設機は、無限軌道又は車輪により地表を走行する自走式車体に、地中に刺した作溝体を前進させて凹溝を掘削しながら、その凹溝の溝底に吸水管を配設すると共に、その吸水管をホッパーから供給した籾殻で覆い、その溝を埋め戻して暗渠を布設するドレンレイヤー部を上下方向へ回動自在に備えた暗渠布設機にあって、籾殻を貯蔵するタンクと、タンク下端に沿ってタンク内の籾殻をタンク外へ搬出する横搬送部材と、搬出された籾殻を上方に搬送する縦搬送部材と、ホッパーと連結され伸縮自在な連結部材とを備えたものである。さらに、このような暗渠布設機においては、通常自走式車体の前部にエンジンが設けられ、このエンジンによって前記無限軌道又は車輪は駆動され、また前記ドレンレイヤー部は自走式車体に後部に設けられ、さらに運転席は自走式車体の中間、すなわちエンジンとドレンレイヤー部との中間に設けられていた（例えば、特許文献１参照）。
【０００３】
【特許文献１】
特開平１１−１６４６２８号公報（段落０００６、図４）
【０００４】
【発明が解決しようとする課題】
ところで、ドレンレイヤー部は地中に刺した作溝体や吸水管を供給するための装置が設けられるものであるので、その重量は比較的大きい。このために暗渠布設機の重心は後方に配置される傾向がある。この結果、暗渠布設機が水田を走行し作溝体を地中に刺すと共に、その凹溝の溝底に吸水管を配設する際に、自走式車体の後部に設けられた作溝体に土への切削抵抗が加わることにより、自走式車体の前部が浮き上がりやすく、さらに暗渠布設機の重心が後方に設けられることによりいっそう自走式車体の前部が浮き上がりやすくなり走行が不安定になる虞がある。また、従来の暗渠布設機においては、ドレンレイヤー部は自走式車体に後部に設けられていたので、自走式車体の前部を水田の隅に近づいてもドレンレイヤー部は水田の隅より離れるので、吸水管を水田の隅側に配設することができないという問題もあった。
【０００５】
そこで、本発明は、重心を自走式車体の後方へ配置することを防止すると共に、水田の隅側であっても吸水管を配設することができる暗渠布設機を提供することを目的とする。
【０００６】
【課題を解決するための手段】
請求項１の発明は、原動機駆動の無限軌道又は車輪により地表を走行する自走式車体に、地中に刺した作溝体を前進させて凹溝を掘削しながら、その凹溝の溝底に吸水管を配設するドレンレイヤー部と、運転席を備えた暗渠布設機において、前記自走式車体の前部に前記原動機を、前記自走式車体の後部に前記運転席を設けると共に、前記原動機と前記運転席の中間に前記ドレンレイヤー部を設けたことを特徴とする暗渠布設機である。
【０００７】
この請求項１の構成によれば、原動機駆動の無限軌道又は車輪により地表を走行する際、自走式車体の前部に設けられた前記原動機と自走式車体の後部に設けられた前記運転席の中間にドレンレイヤー部が設けられることにより、全体の重心は自走式車体の中央付近に配置される。
【０００８】
【発明の実施形態】
以下、本発明の実施形態を添付図を参照して説明する。図中１は左右に配置した無限軌道１１により水田の地表ＧＬを走行する自走式車体であり、自走式車体１の前部のほぼ中央に原動機たるエンジン１２が設けられ、このエンジン１２により動力伝達装置（図示せず）を介して無限軌道１１を駆動して走行できるようになっている。２はドレンレイヤー部であり、これは自走式車体１の中央部、すなわち自走式車体１の前部に設けられるエンジン１２と後部に設けられる運転席１３の間に搭載される。そして、ドレンレイヤー部２は、左右一対の無限軌道１１に対してもほぼ中央に設けられる。このドレンレイヤー部２は自走式車体１の中央部に装着され、地中に刺した作溝体２１を前進させて凹溝を掘削しながら、その凹溝の溝底に吸水管２２を配設すると共に、その吸水管２２をホッパー２３の落下口２３ａから供給した埋設物としての籾殻で覆い、その溝を埋め戻して暗渠を布設することができる。また、ドレンレイヤー部２は上下方向へ回動自在に備えられ、暗渠布設機が農道を走行する場合、作溝体２１を地表ＧＬから上方へ持ち上げ農道を掘削しないようにする。尚、前記運転席１３には、暗渠布設機を前進などするためのハンドル１４や各種ペダル（図示せず）等が装着している。
【０００９】
３は上方の開口部から籾殻を貯蔵するタンク、４はタンク３の下端に沿ってタンク内に貯蔵された籾殻をタンク外へ搬出する搬出部材としてのほぼ水平に設けたスクリューコンベアであり、このスクリューコンベア４は図示しないモータにより回転駆動されるもので、一端４ａをタンク３の前部に回動自在に接続し他端４ｂをタンク３の後部に回動自在に連結されている。そして、スクリューコンベア４の他端４ｂにはタンク３に設けた下向きの落し口２４が連通している。５は始端５ａを落し口２４のやや下方に設けると共に、終端５ｂをホッパー２３の上部開口２３ａのやや上方に設けたタンク３内の籾殻をホッパー２３へ搬送する搬送手段としてのベルトコンベアである。
【００１０】
水田の片道分に必要な大量の籾殻を貯蔵できるタンク３は自走式車体１の右側無限軌道の上方に搭載される。左側無限軌道１１の上方には油圧以外の駆動力を与える発電機１５及び操作盤等が搭載されている。尚、駆動力を発電機により得る手段の他に、自走式車体１の油圧を分岐したりすることもできる。
【００１１】
次に、暗渠布設機の操作を説明する。まず、籾殻袋を開封し、タンク３の上方の開口部から適量な籾殻を貯蔵する。そして、作業する水田に移動したら、上方に持ち上げていたドレンレイヤー部２を降ろし、作溝体２１を地表ＧＬに刺し準備をしておく。暗渠布設作業は、自走式車体１により地中に刺した作溝体２１を前進させて凹溝を掘削しながら、その凹溝の溝底に吸水管２２を配設する一方で、タンク３からホッパー２３に籾殻を供給し、その吸水管２２をホッパー２３から供給した籾殻で覆い、その溝を埋め戻して暗渠を布設する。タンク３に貯蔵されている籾殻は、スクリューコンベア４の回動によりタンク３の他端４ｂに送り出され、ベルトコンベア５を介してホッパー２３まで落下していき、溝底に配設された吸水管２２を籾殻で覆い暗渠布設作業が終了する。
【００１２】
このような暗渠布設作業の際、暗渠布設機のドレンレイヤー部２は、自走式車体１の中央部、すなわち自走式車体１の前部に設けられるエンジン１２と後部に設けられる運転席１３の間に搭載されるので、暗渠布設機の重心が自走式車体１の中央付近となり、このため無限軌道１１によって水田を走行する際に、自走式車体１の前部が浮き上がる虞をなくすことができる。また、自走式車体１を水田の隅Ｅまで近づけた際には、ドレンレイヤー部２を隅Ｅまで近づけることができるので、吸水管２２を水田の隅々まで配置することができる。
【００１３】
以上のように、前記実施形態ではエンジン１２駆動の無限軌道１１により地表を走行する自走式車体１に、地中に刺した作溝体２１を前進させて凹溝を掘削しながら、その凹溝の溝底に吸水管２２を配設するドレンレイヤー部２と、運転席１３を備えた暗渠布設機において、前記自走式車体１の前部に前記エンジン１２を、前記自走式車体１の後部に前記運転席１３を設けると共に、前記エンジン１２と前記運転席１３の中間に前記ドレンレイヤー部２を設けたことにより、暗渠布設機の重心が自走式車体１の中央付近となり、自走式車体１の前部が浮き上がる虞をなくして走行安定性を向上し、さらに水田の地表ＧＬを荒すこともない。また、自走式車体１を水田の隅Ｅまで近づけた際には、ドレンレイヤー部２を隅Ｅまで近づけることができるので、吸水管２２を水田の隅々まで配置することができる。
【００１４】
また、ドレンレイヤー部２は、左右一対の無限軌道１１に対してほぼ中央に設けられるので、暗渠布設機における左右のバランスも優れているので、いっそう走行安定性を向上することができる。
【００１５】
尚、本発明は上記実施形態に限定されるものではなく、本発明の要旨の範囲内において、種々の変形実施が可能である。例えば、エンジン等原動機により車輪を駆動させる暗渠布設機でもよい。
【００１６】
【発明の効果】
請求項１の発明は、原動機駆動の車輪又は無限軌道により地表を走行する自走式車体に、地中に刺した作溝体を前進させて凹溝を掘削しながら、その凹溝の溝底に吸水管を配設するドレンレイヤー部と、運転席を備えた暗渠布設機において、前記自走式車体の前部に前記原動機を、前記自走式車体の後部に前記運転席を設けると共に、前記原動機と前記運転席の中間に前記ドレンレイヤー部を設けたことを特徴とする暗渠布設機であり、作業時において自走式車体の前部が浮き上がりにくくなり走行安定性を向上することができ、また、吸水管を水田の隅側にも配設することができる。
【図面の簡単な説明】
【図１】本発明の一実施形態を示す一部切り欠き側面図である。
【図２】本発明の一実施形態を示す後面図である。
【図３】本発明の一実施形態を示す平面図である。
【符号の説明】
１  自走式車体
１１  無限軌道
１２  エンジン（原動機）
１３  運転席
２  ドレンレイヤー部
２１  作溝体
２２  吸水管
【図１】
2004218270.tif 000003
【図２】
2004218270.tif 000004
【図３】
2004218270.tif 000005